(57)【要約】【課題】特に初級者または中級者でも打球の再現性を容易に向上させることのできるゴルフクラブを提供する。【解決手段】ゴルフクラブヘッド３を、その重心Ｇを通りフェース面３ａに垂直な軸周りの慣性モーメントＩの大きさが２８００ｇ・ｃｍ2 以上、または慣性モーメントＩをゴルフクラブヘッド３の質量Ｍで除した値Ｉ／Ｍが１４．１ｇ・ｃｍ2 ／ｇ以上であって、フェース面３ａに垂直な方向の重心深さＤが１０ｍｍ以上２５ｍｍ以下になるように形成したので、ゴルフクラブヘッド３のヘッド高さＨ及びヘッド幅Ｌを奥行き方向の寸法に対して相対的に大きくすることができ、一般的なゴルフクラブよりもフェース面３ａの面積を大きくすることができる。これにより、ボールをフェース面３ａの広範囲で打撃することができ、フェース面３ａが広いことによる安心感からミスショットを少なくすることができる。【選択図】図１
2008142321.tif 000002
【特許請求の範囲】
【請求項１】
先端部にゴルフクラブヘッドを有するゴルフクラブにおいて、
前記ゴルフクラブヘッドを、その重心を通りフェース面に垂直な軸周りの慣性モーメントの大きさが２８００ｇ・ｃｍ2 以上であって、フェース面に垂直な方向の重心深さが１０ｍｍ以上２５ｍｍ以下になるように形成した
ことを特徴とするゴルフクラブ。
【請求項２】
先端部にゴルフクラブヘッドを有するゴルフクラブにおいて、
前記ゴルフクラブヘッドを、その重心を通りフェース面に垂直な軸周りの慣性モーメントの大きさをゴルフクラブヘッドの質量で除した値が１４．１ｇ・ｃｍ2 ／ｇ以上であって、フェース面に垂直な方向の重心深さが１０ｍｍ以上２５ｍｍ以下になるように形成した
ことを特徴とするゴルフクラブ。
【請求項３】
前記ゴルフクラブヘッドをロフト角度が５゜以上２２゜以下に形成した
ことを特徴とする請求項１または２記載のゴルフクラブ。
【請求項４】
前記ゴルフクラブヘッドを、ヘッド高さをヘッド幅で除した値が０．５５以上１．０以下になるように形成した
ことを特徴とする請求項１、２または３記載のゴルフクラブ。
【請求項５】
前記ゴルフクラブヘッドを、ホーゼル高さをヘッド高さで除した値が１．０２以上１．２３以下になるように形成した
ことを特徴とする請求項１、２、３または４記載のゴルフクラブ。
【請求項６】
前記ゴルフクラブヘッドを、フェース面のバルジ半径が２２５ｍｍ以上になるように形成した
ことを特徴とする請求項１、２、３、４または５記載のゴルフクラブ。
【発明の詳細な説明】
【技術分野】
【０００１】
本発明は、先端部にゴルフクラブヘッドを有するゴルフクラブに関するものである。
【背景技術】
【０００２】
従来、ドライバー等のウッド系のゴルフクラブでは、打球の飛距離のみならず方向性にも優れたものが望まれており、この点からゴルフクラブヘッドの重心特性について様々な検討がなされている。特に、打ち易さや飛距離の向上を図るために、重心位置をゴルフクラブヘッドの後部に設定したり、或いは低い位置に設定したものが知られている（例えば、特許文献１または２参照。）。また、バックスピン量を抑えて飛距離の向上を図るために、フェース面からの重心深さを浅くするようにしたものも知られている（例えば、特許文献３参照。）。
【特許文献１】特開２００４−６７３号公報
【特許文献２】特開平１０−１５１２０号公報
【特許文献３】実用新案登録第２５８８４８５号公報
【発明の開示】
【発明が解決しようとする課題】
【０００３】
しかしながら、重心深さを深くしすぎると、シャフトの撓りによりゴルフクラブヘッドの向きが変わり易くなるため、打球の高さや方向にバラツキが生じ、常に安定した飛距離が得られるとは限らない。また、重心深度を浅くしすぎると、フェース面と重心が近いため、打点と重心との僅かな位置ずれによっても打球の方向が狂い易くなる。何れにしても、このような重心特性がゴルフクラブによるショットの難易度を高める原因の一つと考えられ、特に初級者、中級者にとっては、打球の再現性を向上させることが容易でなかった。
【０００４】
本発明は前記問題点に鑑みてなされたものであり、その目的とするところは、特に初級者または中級者でも打球の再現性を容易に向上させることのできるゴルフクラブを提供することにある。
【課題を解決するための手段】
【０００５】
本発明は前記目的を達成するために、先端部にゴルフクラブヘッドを有するゴルフクラブにおいて、前記ゴルフクラブヘッドを、その重心を通りフェース面に垂直な軸周りの慣性モーメントの大きさが２８００ｇ・ｃｍ2 以上であって、フェース面に垂直な方向の重心深さが１０ｍｍ以上２５ｍｍ以下になるように形成している。
【０００６】
また、本発明は前記目的を達成するために、先端部にゴルフクラブヘッドを有するゴルフクラブにおいて、前記ゴルフクラブヘッドを、その重心を通りフェース面に垂直な軸周りの慣性モーメントの大きさをゴルフクラブヘッドの質量で除した値が１４．１ｇ・ｃｍ2 ／ｇ以上であって、フェース面に垂直な方向の重心深さが１０ｍｍ以上２５ｍｍ以下になるように形成している。
【０００７】
本発明によれば、ゴルフクラブヘッドのヘッド高さ及びヘッド幅が奥行き方向の寸法に対して相対的に大きくなることから、一般的なゴルフクラブよりもフェース面の面積を大きくすることが可能となる。
【発明の効果】
【０００８】
本発明のゴルフクラブによれば、一般的なゴルフクラブよりもフェース面の面積を大きくすることができるので、ボールをフェース面の広範囲で打撃することができるとともに、フェース面が広いことによる安心感からミスショットを少なくすることができ、特に初級者または中級者であっても、飛距離及び方向性における打球の再現性を容易に向上させることができる。
【発明を実施するための最良の形態】
【０００９】
図１乃至図１４は本発明の一実施形態を示すもので、図１はゴルフクラブの要部正面図、図２はその側面図、図３はその平面図、図４は慣性モーメント測定器の斜視図、図５はその測定状態を示す要部正面図、図６は重心測定器の正面図、図７は天秤計の正面図、図８は天秤計による測定状態を示す正面図、図９はその平面図、図１０はロフト角度測定器の斜視図、図１１はロフト角度測定用分度器を示す図、図１２乃至図１４は実験結果を示す図である。
【００１０】
同図に示すゴルフクラブ１は、スチールまたはカーボンからなるゴルフクラブシャフト２と、ゴルフクラブシャフト２の先端部に取付けられたゴルフクラブヘッド３と、ゴルフクラブシャフト２の基端部に装着されたグリップ（図示せず）とから構成されている。
【００１１】
ゴルフクラブヘッド３は、その重心Ｇを通りフェース面３ａに垂直な軸周りの慣性モーメントＩの大きさが２８００ｇ・ｃｍ2 以上、または慣性モーメントＩをゴルフクラブヘッド３の質量Ｍで除した値Ｉ／Ｍが１４．１ｇ・ｃｍ2 ／ｇ以上であって、フェース面３ａに垂直な方向の重心深さＤが１０ｍｍ以上２５ｍｍ以下になるように形成されている。これにより、ゴルフクラブヘッド３は、奥行き方向の寸法に対し、ヘッド高さＨ及びヘッド幅Ｌが相対的に大きくなり、一般的なゴルフクラブよりもフェース面３ａの面積が大きい形状となる。
【００１２】
また、ゴルフクラブヘッド３は、ロフト角度θが５゜以上２２゜以下に形成され、ヘッド高さをヘッド幅で除した値、即ちヘッド高さＨとヘッド幅Ｌの比率Ｈ／Ｌが０．５５以上１．０以下になるように形成されている。この場合、図１に示すように、ゴルフクラブヘッド３を通常のアドレスポジションに設置し、基準面Ｘからゴルフクラブヘッド３のクラウン部の最も上方に位置する上端部までの高さをヘッド高さＨとし、基準面Ｘに対して２２．２３ｍｍ上方に位置するヒール側の位置から最もトウ側に位置する端部までの基準面Ｘに平行な長さをヘッド幅Ｌとする。
【００１３】
更に、ゴルフクラブヘッド３は、ゴルフクラブシャフト２が固定されるホーゼル部３ｂを有し、ホーゼル高さＨ1 をヘッド高さＨで除した値が１．０２以上１．２３以下になるように形成に形成されている。この場合、図１に示すように、基準面Ｘからホーゼル部３ｂの上端までの垂直高さをホーゼル高さＨ1 とする。
【００１４】
また、図３に示すように、ゴルフクラブヘッド３はフェース面３ａのバルジ半径Ｒが２２５ｍｍ以上になるように形成されている。尚、バルジはフェース面３ａについた横方向の丸みである。
【００１５】
ゴルフクラブヘッド３の重心Ｇを通りフェース面３ａに垂直な軸回りの慣性モーメントＩの値は、図４に示す慣性モーメント測定器１０を用いて測定される。この慣性モーメント測定器１０は、測定部１１、演算部１２、スタートレバー１３、表示部１４、操作ボタン１５を備え、測定部１１の上に測定対象物が載置され、スタートレバー１３を手で摘んで変位させた後、手を放して捩れ振動させ、この時の捩れ振動の周期を測ることによって演算部１２を通して慣性モーメントを測定し、表示部１４に慣性モーメントの数値を表示する装置である。尚、慣性モーメント測定器１０としては、例えばＩｎｅｒｔｉａ  Ｄｙｎａｍｉｃｓ社製の慣性モーメント測定器「Ｍｏｄｅｌ  ＭＯＩ−００５−０１４」を用いることができる。
【００１６】
前記慣性モーメント測定器１０による慣性モーメントの測定は、図５(a) に示すように測定部１１に治具１６のみを固定して慣性モーメントＩａを測定し、続いて、図５(b) に示すように治具１６の上面にゴルフクラブヘッド３のフェース面３ａを固定して慣性モーメントＩｂを測定し、（Ｉｂ−Ｉａ）よりゴルフクラブヘッド３の慣性モーメントＩを得る。この場合、ゴルフクラブヘッド３は、重心Ｇを通るフェース面３ａの法線Ｎと、慣性モーメント測定器１０の捩れ振動の回転軸Ａとが一致もしくは概ね一致するように慣性モーメント測定器５０に固定されることが好ましい。概ね一致とは、法線Ｎがフェース面３ａを通る点ｇと、回転軸Ａがフェース面３ａを通る点との水平距離が３ｍｍ以内、好ましくは２ｍｍ以内、より好ましくは１ｍｍ以内とすることである。この範囲内にゴルフクラブヘッド３のフェース面３ａを固定することにより、正確に慣性モーメントを測定することができる。
【００１７】
ゴルフクラブヘッド３のフェース面３ａ上の点ｇは、図６に示す重心測定器２０によって求められる。重心測定器２０は、上部に測定対象物を支持する支持部２１備え、この支持部２１が測定対象物を平衡に支持する位置を測定対象物上に求めることができるものである。即ち、フェース面３ａ上の点ｇは、図６に示すようにゴルフクラブヘッド３を支持部２１に載置し、手を放してもゴルフクラブヘッド３が平衡を保つ位置を探し出すことにより求めることが可能である。
【００１８】
また、慣性モーメント測定器１０の治具１６は、治具自体の重心位置が回転軸Ａに一致もしくは概ね一致するように慣性モーメント測定器１０に装着されることが好ましい。ゴルフクラブヘッド３と治具１６とを固定するためには、両面テープ、粘土等の粘着体による固定、接着剤による固定、磁力を用いた固定等が考えられる。この場合、ウッド系のゴルフクラブヘッド３では、フェース面３ａが凸状の曲面をなすように形成されているため、治具１６の上面もフェース面３ａに合致するような凹状の曲面であることが好ましいが、治具１６の上面が平面である場合は、図５(b) に示すように粘着体１７をフェース面３ａ及び治具１６の上面に合致するように形成して固定する。この場合、粘着体１７のように質量を有するものは、治具１６の一部に含まれ、治具１６と同様に風袋として引かれる。
【００１９】
以上の測定機器及び測定方法を用い、ゴルフクラブヘッド３の重心Ｇを通りフェース面３ａに垂直な軸回りの慣性モーメントＩの値を、ゴルフクラブ１を組み立てる前に測定した。ここで、慣性モーメント測定器１０としては、Ｉｎｅｒｔｉａ  Ｄｙｎａｍｉｃｓ社製のＭｏｍｅｎｔ  ｏｆ  ｉｎｅｒｔｉａｉｎｓｔｒｕｍｅｎｔ  Ｍｏｄｅｌ  ＭＯＩ−００５−０１４を使用し、治具１６には同社製のＣａｌｉｂｒａｔｉｏｎ  Ｗｅｉｇｈｔ（Ｐａｒｔ  Ｎｏ．ＣＷ００５−００１）を用いた。ゴルフクラブヘッド３の固定は、図５(b) に示すように法線Ｎと回転軸Ａが一致するように固定した。固定手段は、株式会社ライオン事務器製の両面テープ（品番：ＧＷ−３５０）により固定した。フェース面３ａの点ｇは、ＦＯＲＴＥＥＮ社製のＧ．ＭＡＫＥＲＭＯＤＥＬ  ＦＧ−１０２ＲＭにより求めた。慣性モーメントＩの測定は、同社作成のＯｐｅｒａｔｉｎｇ  Ｍａｎｕａｌに準拠した。測定は３回行い、３回の平均値を測定値とした。
【００２０】
ゴルフクラブヘッド３の重心深さＤは、図７に示す天秤計３０によって測定される。この天秤計３０は、支点３１に揺動自在に支持されたシーソー状のアーム３２を備え、アーム３２の一端側に載置した重量体３３と、重心Ｇをアーム３２の他端側に位置させたゴルフクラブヘッド３とを釣り合わせることにより、重心深さＤを測定するものである。アーム３２の長手方向中央には支点３１上に位置する垂直板３４が設けられ、垂直板３４の一方の面（アーム３２の他端側の面）にはゴルフクラブヘッド３が装着されるようになっている。尚、ゴルフクラブヘッド３及び重量体３３を装着しない状態では、アーム３２が水平になるように釣り合っている。
【００２１】
以上の構成からなる天秤計３０を用い、フェース面３ａに垂直な方向の重心深さＤを測定した。即ち、図８及び図９に示すように垂直板３４の一方の面に質量Ｍのゴルフクラブヘッド３を装着し、フェース面３ａがアーム３２の長手方向に対して直交するように固定する。そして、アーム３２を質量Ｍ′の重量体３３によって水平になるように釣り合わせ、重量体３３の重心Ｇ′から支点３１までの水平方向の長さＤ′を求める。
【００２２】
以上より、フェース面３ａに垂直な方向の重心深さＤは、釣り合いの式Ｍ×（Ｄ＋ｄ）＝Ｍ′×Ｄ′から、（Ｄ＋ｄ）＝（Ｍ’×Ｄ’）／Ｍにて求まる。この場合、ｄは支点３１から垂直板３４の一方の面までの厚さである。尚、天秤計３０としては、例えば株式会社三光精衡所製の天秤計を用いることができる。
【００２３】
ゴルフクラブヘッド３のロフト角度θは、図１０に示すロフト角度測定器４０及び図１１に示す分度器５０によって測定される。ここでいうロフト角度θとは、シャフト軸Ｓとフェース面３ａとのなす角度である。ロフト角度測定器４０は、ゴルフクラブシャフト２を保持するシャフト保持部４１と、シャフト保持部４１が取付けられたライ角度調整部４２と、角度調整部４２と一体に設けられた測定台４３と、測定台４３上に前後方向に移動自在に載置されたフェース角度調整具４４とを備えている。このロフト角度測定器４０では、ゴルフクラブシャフト２をシャフト保持部４１によって保持するとともに、ライ角度調整部４２によってシャフト保持部４１の角度を調整することにより、ゴルフクラブ１が測定台４３の基準面４３ａに対してライ角度通りのアドレスポジションに設置されるようにゴルフクラブシャフト２の角度を調整する。次に、ゴルフクラブヘッド３のソール部３ｂを基準面４３ａに接触させるとともに、フェース角度調整具４４の先端部４４ａにフェース面３ａを密着させることにより、先端部４４ａに対するフェース角度が０°になるようにゴルフクラブシャフト２をシャフト保持部４１のチャック部４１ａで固定する。この後、図１１に示すように基準面４３ａに垂直に立てた分度器５０を用い、ロフト角度測定器４０に保持されたゴルフクラブ１のフェース面３ａのロフト角度θを測定する。ロフト角度測定器４０は、市販されている公知のものであればよく、例えば昇峰企業社製の高爾夫球頭測度台、ゴルフギャレーヂ社製のゴルフクラブアングル測定器、ゴルフスミス社製のゴルフクラブゲージ等の測定器を用いることができる。このような測定器は公知のものであればよく、本発明において特に限定されるものではない。
【００２４】
尚、前記ロフト角度の測定において、ゴルフクラブ１をライ角度通りのアドレスポジションに設置するとは、ゴルフクラブヘッド３をライ角度通りに設置するとともに、ゴルフクラブ１のシャフト軸Ｓとリーディングエッジ３ｃとが上方から見て互いに平行になるように設置することをいう。また、ライ角度通りに設置とは、ライ角度が６０゜になるように設置することをいう。ゴルフクラブ長さは、財団法人日本ゴルフ協会が発行するゴルフ規則の付則規則IIの「１．クラブ」の「ｃ．長さ」に準拠して測定される長さをいう。アドレスポジションにおいて、リーディングエッジ３ｃの方向はフェース面３ａが指す方向と直角な方向に設定される。上述のようにフェース面３ａの方向を特定し、通常のアドレスポジションを設定した状態で行うゴルフクラブヘッド３の寸法測定は、例えば昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであればよく、本発明において特に限定されるものではない。
【００２５】
ここで、本発明の実験例１〜２１及び従来例１〜３について、飛距離及び方向性の実験を行った。この実験では、被験者としてのゴルファーが打球フィールドの所定位置に設けたピンを目標に打ち、打った位置からボールが停止した位置までの飛距離（ヤード）を記録するとともに、打球停止位置からピンまでの距離を方向ブレ幅（ヤード）として記録する。これらを一つのゴルフクラブに対して１０球ずつ行い、飛距離と方向ブレ幅の標準偏差を求めた。ここでは、実験例１〜２１及び従来例１〜３のゴルフクラブを用いて２０人の被験者について行い、標準偏差の平均値を求めた。そして、従来例１〜３の標準偏差を１００とし、実験例１〜２１を指数（（従来例の標準偏差／実験例１〜２１の標準偏差）×１００）によって評価した。この場合、飛距離については評価１、方向ブレ幅については評価２、打球感については評価３とし、各評価１，２，３の和を総合評価とした。即ち、各評価１，２，３の和が高いほど飛距離、方向性及び打球感のバランスに優れていると判定した。尚、実験例１〜１９及び従来例１にはロフト角度１１゜、実験例２０及び従来例２にはロフト角度１７゜、実験例２１及び従来例３にはロフト角度２４゜のゴルフクラブを用いた。また、全てのゴルフクラブには、長さ４５インチのものを用いた。
【００２６】
実験例１〜１９は、本発明の範囲内外による実験であり、図１２に示すように全て従来例１よりも優れている。
【００２７】
慣性モーメントの比較において、実験例１は慣性モーメントの範囲が本発明の範囲外である。これに対して実験例４，５，６，７，１０は全て慣性モーメントの範囲が本発明の範囲内であり、慣性モーメントの数値のみが変化している。これらの実験例は全て実験例１に比べて好ましい結果になっていることが分かる。また、実験例１０は、慣性モーメントの範囲が本発明の好ましい範囲外である。これに対して実験例４，５，６，７は全て慣性モーメントの範囲が本発明の範囲内であり、全て実験例１０に比べて好ましい結果になっていることが分かる。
【００２８】
重心深さの比較において、実験例２、３は重心深さの範囲が本発明の範囲外である。これに対して実験例４，８，９は全て重心深さの範囲が本発明の範囲内であり、重心深さの数値のみが変化している。これらの実験例は全て実験例２，３に比べて好ましい結果になっていることが分かる。
【００２９】
Ｈ／Ｌの比較において、実験例１１はＨ／Ｌの範囲が本発明の好ましい範囲外である。これに対して実験例４，１５，１６は全てＨ／Ｌの範囲が本発明の範囲内であり、Ｈ／Ｌの数値のみが変化している。これらの実験例は全て実験例１１に比べて好ましい結果になっていることが分かる。
【００３０】
Ｈ1 ／Ｈの比較において、実験例１３，１４はＨ1 ／Ｈの範囲が本発明の好ましい範囲外である。これに対して実験例４，１８，１９は全てＨ1 ／Ｈの範囲が本発明の範囲内であり、Ｈ1 ／Ｈの数値のみが変化している。これらの実験例は全て実験例１３，１４に比べて好ましい結果になっていることが分かる。
【００３１】
バルジ半径の比較において、実験例１２はバルジ半径の範囲が本発明の好ましい範囲外である。これに対して実験例４，１７は全てバルジ半径の範囲が本発明の範囲内であり、バルジ半径の数値のみが変化している。これらの実験例は全て実験例１２に比べて好ましい結果になっていることが分かる。
【００３２】
また、実験例２０は、ロフト角度を１７゜にしたもので、ロフト角度の範囲が本発明の範囲内である。この場合、図１３に示すようにロフト角度の同じ従来例２に比べて好ましい結果になっていることが分かる。実験例２１は、ロフト角度を２４゜にしたもので、ロフト角度の範囲が本発明の範囲外である。この場合、図１４に示すようにロフト角度の同じ従来例３よりも優れているが、ロフト角度の範囲が本発明の範囲外であるため、本発明の範囲内である実験例２０よりも効果が小さいことが分かる。
【００３３】
このように、本実施形態によれば、ゴルフクラブヘッド３を、その重心Ｇを通りフェース面３ａに垂直な軸周りの慣性モーメントＩの大きさが２８００ｇ・ｃｍ2 以上、または慣性モーメントＩをゴルフクラブヘッド３の質量Ｍで除した値Ｉ／Ｍが１４．１ｇ・ｃｍ2 ／ｇ以上であって、フェース面３ａに垂直な方向の重心深さＤが１０ｍｍ以上２５ｍｍ以下になるように形成したので、このような数値を選択することにより、ゴルフクラブヘッド３のヘッド高さＨ及びヘッド幅Ｌを奥行き方向の寸法に対して相対的に大きくすることができ、一般的なゴルフクラブよりもフェース面３ａの面積を大きくすることができる。これにより、ボールをフェース面３ａの広範囲で打撃することができるとともに、フェース面３ａが広いことによる安心感からミスショットを少なくすることができ、特に初級者または中級者であっても、飛距離及び方向性における打球の再現性を容易に向上させることができる。尚、慣性モーメントＩの大きさは３０００ｇ・ｃｍ2 以上が好ましい。
【００３４】
また、本実施形態のようにゴルフクラブヘッド３のロフト角度θが５゜以上２２゜以下のゴルフクラブ１は、主にフルスイングでボールを遠くへ飛ばすゴルフクラブであるため、この範囲のロフト角度θを有するゴルフクラブ３に本発明を適用することにより、フルスイングしても比較的安定した、打球再現性の高い結果を得ることができる。尚、ロフト角度θは８゜以上２０゜以下が好ましい。
【００３５】
更に、ゴルフクラブヘッド３のヘッド高さＨをヘッド幅Ｌで除した値が０．５５以上１．０以下になるように形成したので、より円形に近いフェース面３ａを形成することができる。これにより、トウ、ヒール方向の打点のバラツキと、ソール、クラウン方向の打点のバラツキに対し、より等価な結果を得ることができ、飛距離及び方向性における打球の再現性をより高めることができる。この場合、一般的なゴルフクラブヘッドのような横長のフェース面を有するものとは形状が異なるが、特に初級者のようにゴルフクラブヘッドの形状に対して先入観の少ないゴルファーにとっては、さほど違和感を生ずることなく使用することができ、むしろ上下方向の打点のブレを吸収することができるので、打球の再現性向上に極めて有利である。
【００３６】
また、ゴルフクラブヘッド３のホーゼル高さＨ1 をヘッド高さＨで除した値が１．０２以上１．２３以下になるように形成したので、飛距離及び方向性における打球の再現性をより高めることができるとともに、打球感の向上を図ることができる。尚、ホーゼル高さＨ1 をヘッド高さＨで除した値は１．１５以下が好ましい。
【００３７】
更に、ゴルフクラブヘッド３をフェース面３ａのバルジ半径Ｒが２２５ｍｍ以上になるように形成したので、フェース面３ａにおける打撃位置が幅方向にずれる、いわゆるオフセンターヒットに対しても、打球の再現性を高めることができる。
【図面の簡単な説明】
【００３８】
【図１】本発明の一実施形態を示すゴルフクラブの要部正面図
【図２】ゴルフクラブの側面図
【図３】ゴルフクラブの平面図
【図４】慣性モーメント測定器の斜視図
【図５】慣性モーメント測定器の測定状態を示す要部正面図
【図６】重心測定器の正面図
【図７】天秤計の正面図
【図８】天秤計による測定状態を示す正面図
【図９】天秤計の平面図
【図１０】ロフト角度測定器の斜視図
【図１１】ロフト角度測定用分度器を示す図
【図１２】実験結果を示す図
【図１３】実験結果を示す図
【図１４】実験結果を示す図
【符号の説明】
【００３９】
１…ゴルフクラブ、２…ゴルフクラブシャフト、３…ゴルフクラブヘッド、３ａ…フェース面。
【図１】
2008142321.tif 000003
【図２】
2008142321.tif 000004
【図３】
2008142321.tif 000005
【図４】
2008142321.tif 000006
【図５】
2008142321.tif 000007
【図６】
2008142321.tif 000008
【図７】
2008142321.tif 000009
【図８】
2008142321.tif 000010
【図９】
2008142321.tif 000011
【図１０】
2008142321.tif 000012
【図１１】
2008142321.tif 000013
【図１２】
2008142321.tif 000014
【図１３】
2008142321.tif 000015
【図１４】
2008142321.tif 000016